(57)【要約】  【課題】ヘッドスピードの増大によるゴルフボールの飛距離の向上と、ゴルフボールの飛び方向の安定を同時に達成することができるゴルフクラブを提供する。  【解決手段】ゴルフクラブシャフト２と、前記ゴルフクラブシャフト２の一端を被覆するグリップ３と、前記ゴルフクラブシャフト２の他端に装着するゴルフクラブヘッド４とを有するゴルフクラブ１であって、前記ゴルフクラブ１の質量が２７０ｇ以下であり、前記グリップ３の端部であるグリップ端８から１７．０ｃｍの位置に作用する回転モーメントが２０，５００ｇ・ｃｍから２１，５００ｇ・ｃｍの範囲にある。【選択図】図１
2005198816.tif 000002
【特許請求の範囲】
【請求項１】
ゴルフクラブシャフトと、前記ゴルフクラブシャフトの一端を被覆するグリップと、前記ゴルフクラブシャフトの他端に装着するゴルフクラブヘッドとを有するゴルフクラブであって、
前記ゴルフクラブの質量が２７０ｇ以下であり、前記グリップの端部であるグリップ端から１７．０ｃｍの位置を中心とする回転モーメントが２０，５００ｇ・ｃｍから２１，５００ｇ・ｃｍの範囲にあるゴルフクラブ。
【請求項２】
前記グリップの質量が３０ｇ以下である請求項１に記載のゴルフクラブ。
【請求項３】
前記ゴルフクラブシャフトの質量が５５ｇ以下である請求項１または２に記載のゴルフクラブ。
【請求項４】
前記ゴルフクラブのグリップ側の端部を固定端とし、ゴルフクラブヘッド側の端部を自由端として、ゴルフクラブの長手方向に対して直交する方向に振動させたとき、そのゴルフクラブの振動数が２１０ｃｐｍ以上２６０ｃｐｍ以下である請求項１乃至３のいずれか１項に記載のゴルフクラブ。
【請求項５】
前記グリップ端と前記グリップ端から２００ｍｍの位置とを結んだ勾配と、チップ端から２００ｍｍの位置と前記チップ端から５００ｍｍの位置とを結んだ勾配との差が４／１０００以上である請求項１乃至４のいずれか１項に記載のゴルフクラブ。
【発明の詳細な説明】
【技術分野】
【０００１】
本発明は、ゴルフクラブに関し、さらに詳しくは、ゴルフボールの飛距離を向上させるゴルフクラブに関する。
【背景技術】
【０００２】
近年、ドライバーなどのウッド系ゴルフクラブにあっては、ヘッドスピードを向上させるため、ゴルフクラブの長尺化や軽量化など様々な技術開発が行なわれている。このようなヘッドスピードの向上は、一般的に飛距離の増大に貢献するものと考えられている。
【０００３】
しかしながら、ゴルフクラブを長尺化すると、スウィングの際のゴルフクラブの振り回しが難しくなり、スウィングが振り遅れてゴルフクラブヘッドのフェース面が開くなどゴルフクラブは振り難いものとなったり、ゴルフクラブを単に軽量化すると、ゴルフクラブをスウィングする感覚を十分に感じることができず、スウィング軌道がぶれたりする場合もある。
従って、長尺化や軽量化された多くのゴルフクラブでは、ゴルファはフェース面のスイートエリアで確実にゴルフボールを打球することが難しくなり、結果としてフェース面のスイートエリアで打球するミート率が低下し、ヘッドスピードが向上するにもかかわらず、このヘッドスピードの上昇を生かしきれず飛距離が増大しない場合がある。
【０００４】
ところで、ウッド系ゴルフクラブでは、打球したゴルフボールの飛距離が長いことの他に、打球したゴルフボールの飛び方向が安定していることも重要な性能として要求される。
ゴルフボールの飛び方向の安定性は、スウィングのときにゴルファが感じるゴルフクラブヘッドの重さや振り易さとして知られるゴルフクラブヘッドの効き具合（以下、ヘッドの効き具合という）に影響され、このヘッドの効き具合を表す尺度の一つとして、スウィングバランス（スウィングウェイト）が知られている。
【０００５】
このスウィングバランスは、ゴルフクラブの質量とバランスポイントによって、軽い順番にＡからＥまで５段階に分類され、さらにそれぞれは０〜９まで１０段階に細分化されている。バランスポイントとは、グリップエンド（グリップ端）からゴルフクラブの重心位置までの距離である。
【０００６】
また、スウィングバランスとしては、１４インチ法や１２インチ法などが知られており、１４インチ法によれば、グリップエンドから１４インチの位置を支点とし、グリップエンドに重りをぶら下げて、ゴルフクラブが釣り合ったときの質量を換算してスイングバランスとして表す。言い換えれば、１４インチ法でのスウィングバランスは、グリップエンドから１４インチのところでゴルフクラブを握ったときに、手首などに感じるゴルフクラブの重さを示す。
【０００７】
ところで、スウィングバランスとゴルフクラブの総重量とを用いてヘッドスピードの向上などを図る技術が特許文献１に開示されている。
特許文献１は、ゴルフクラブの総重量と、グリップエンドから１４インチ（３５．５６ｃｍ）のところを支点とするゴルフクラブヘッド側の回転モーメント（いわゆる１４インチ法に基づいて測定した回転モーメント）とが所定の関係を満たすように設定するゴルフクラブを開示している。
この発明によれば、総重量のわりに回転モーメントが小さい、すなわち総重量が同じであれば、従来のゴルフクラブと比較して回転モーメントが小さいため、ゴルフボールの飛び方向が安定していると共に、ヘッドスピードが高くなりゴルフボールの飛距離が長くなる、という効果を奏する。
すなわち、特許文献１に記載された発明は、総重量が同じ従来のゴルフクラブと比較して回転モーメントを減少することにより、ヘッドの効き具合をできるだけ少なくして、スウィング時の軌道のぶれを抑えている。
【特許文献１】特開平８−１７３５７７号公報
【発明の開示】
【発明が解決しようとする課題】
【０００８】
しかしながら、ヘッドスピードの向上のために軽量化されたゴルフクラブにおいて、回転モーメントを特許文献1に従って減少させた場合、ゴルファの感じるゴルフクラブヘッドの効きは小さくなり、ゴルファはゴルフクラブが軽すぎて振りづらく感じ、ゴルフボールの飛び方向が安定しないといった場合が生じる。
本発明は、かかる問題点に鑑みてなされたものであり、ヘッドスピードの増大によるゴルフボールの飛距離の向上と、ゴルフボールの飛び方向の安定を同時に達成することができるゴルフクラブを提供する。
【課題を解決するための手段】
【０００９】
前記課題を解決するために、本発明は、ゴルフクラブシャフトと、前記ゴルフクラブシャフトの一端を被覆するグリップと、前記ゴルフクラブシャフトの他端に装着するゴルフクラブヘッドとを有するゴルフクラブであって、前記ゴルフクラブの質量が２４０ｇから２７０ｇであり、前記グリップの端部であるグリップエンドから１７．０ｃｍの位置を中心とする回転モーメントが２０，５００ｇ・ｃｍから２１，５００ｇ・ｃｍの範囲にあるゴルフクラブを提供する。
また、本発明は、グリップの質量が１０ｇから３０ｇで、ゴルフクラブシャフトの質量が３５ｇから５５ｇで、ゴルフクラブの振動数が２１０ｃｐｍ〜２６０ｃｐｍであることが好ましい。
また、ゴルフクラブシャフトは、前記グリップ端と前記グリップ端から２００ｍｍの位置とを結んだ勾配と、チップ端から２００ｍｍの位置と前記チップ端から５００ｍｍの位置とを結んだ勾配との差が４／１０００以上であることが好ましい。
なお、前記グリップ端と前記グリップ端から２００ｍｍの位置とを結んだ勾配は、３５／１０００以下であることが好ましく、チップ端から２００ｍｍの位置と前記チップ端から５００ｍｍの位置とを結んだ勾配は、３／１０００から１５／１０００であることが好ましい。
【発明の効果】
【００１０】
本発明に係るゴルフクラブは、ゴルフクラブの質量を２７０ｇ以下で、グリップ端から１７．０ｃｍの位置に作用する回転モーメントが２０，５００ｇ・ｃｍから２１，５００ｇ・ｃｍの範囲に制限する。
このため、ゴルフクラブの軽量化によってスウィング時のヘッドスピードを増大させ、回転モーメントを上記範囲に設定することによりゴルファの感じるゴルフクラブヘッドの効きを高めたゴルフクラブを提供することができる。ゴルファはゴルフクラブヘッドが効いていると感じるため、スウィングのときにゴルファはゴルフクラブを振り易く、かつコントロールし易い。
そのため、ヘッドスピードの増大によるゴルフボールの飛距離の向上と、ゴルフボールの飛び方向の安定を同時に達成することができる。
【発明を実施するための最良の形態】
【００１１】
本発明に係るゴルフクラブについて、添付の図面に示す実施形態を基に詳細に説明する。図１は本実施形態のゴルフクラブの一例を示す模式図である。
【００１２】
図１に示すように、本実施形態のゴルフクラブ１は、ゴルフクラブシャフト２と、ゴルフクラブシャフト２の一端を被覆するグリップ３と、前記ゴルフクラブシャフトの他端に装着するゴルフクラブヘッド４とを備え、ゴルフクラブヘッド４はヒール側で上方に向けられて突設されたホーゼルにソケット５を介してゴルフクラブシャフト２に連結されている。
ゴルフクラブ１は、ゴルフクラブの質量が２４０ｇから２７０ｇ以下であり、グリップ３の端部であるグリップエンド（グリップ端）から１７．０ｃｍの位置を中心とする回転モーメントが２０，５００ｇ・ｃｍから２１，５００ｇ・ｃｍの範囲にある。
【００１３】
ゴルフクラブヘッド４は、中空構造であり、様々な金属材料、例えばステンレスや破壊強度が高いチタン合金などにより形成される。また、ゴルフクラブヘッド４のソール部やクラウン部にカーボン繊維強化樹脂材等の繊維強化樹脂材が用いられてもよい。
【００１４】
ゴルフクラブシャフト２は、その全長に亘って中空の円筒状体であり、軽量な繊維強化樹脂材、例えばカーボン繊維やガラス繊維などで強化した樹脂材により形成される。
図２に示すようにゴルフクラブシャフト２は２つ異なるテーパー角度を有する領域からなり、ゴルフクラブシャフト２のゴルフクラブヘッド側の先端であるチップ部（図示せず）から測定して２００ｍｍから５００ｍｍの領域を第１領域とし、グリップエンドから２００ｍｍまでの領域を第２領域とした場合に、第１領域の平均勾配は８／１０００であり、一方第２領域の平均勾配は２２．５／１０００であり、第２領域の平均勾配は第１領域の平均勾配に比して急激に増大している。ここで、平均勾配は、領域の一端と他端における直径の差を長手方向の長さで除算した値と定義する。
すなわち、グリップ端とグリップ端から２００ｍｍの位置との場合には、（グリップ端の直径  −  グリップ端から２００ｍｍの位置の直径）／長手方向の長さ、となり、チップ端から２００ｍｍの位置とチップ端から５００ｍｍの位置の場合には、（チップ端から５００ｍｍの直径  −  チップ端から２００ｍｍの位置の直）／長手方向の長さ、となる。
ここで、第１領域および第２領域の平均勾配は、均一なテーパー角度であってもよいし、不均一なテーパー角度であってもよく、所定の範囲における平均的なテーパー角度で示している。
また、第２領域の最細部の外径は１６．０ｍｍであり、第２領域の最太部の外径は２０．５ｍｍである。
【００１５】
通常のゴルフクラブシャフト２では、本発明の第２領域に相当するグリップエンドから２００ｍｍまでの領域の平均勾配は０／１０００〜５／１０００であるが、本発明の第２領域の平均勾配は８／１０００〜２５／１０００とすることにより、第１領域の平均勾配との差を大きくすることが好ましい。差が大きいとは、平均勾配の差が４／１０００以上であることをいう。
【００１６】
本実施形態では、ゴルフクラブシャフト２は、２つの異なるテーパー角度を有しているため、第１領域と第２領域との境界はグリップエンドから２００ｍｍの位置であり、グリップ３によって被覆されている。しかしながら、異なるテーパー角度の数は２つに限定されず、３つ以上の異なるテーパー角度を設けてもよい。
このような場合には、グリップエンドから２００ｍｍまでの領域の平均勾配を、チップ部から測定して２００ｍｍから５００ｍｍの領域の平均勾配と比較して大きくし、その差を４／１０００以上にすればよく、ゴルフクラブシャフトのその他については特に限定はない。
【００１７】
このようにグリップで被覆されるであろうゴルフクラブシャフトの第２領域の平均勾配を、第１領域の平均勾配と比較して急激に大きくすることにより、グリップの肉厚を薄くすることができ、グリップを軽量にすることができる。
【００１８】
グリップ３は、ゴルファがゴルフクラブを把持する部分であり、例えばゴムや皮革などにより形成されるが、グリップの軽量化を図るため、発泡ゴムなどにより形成されることが好ましい。
【００１９】
本実施形態のゴルフクラブは、ゴルフクラブの全長が４６インチ以下のゴルフクラブであり、ドライバーまたはフェアウェイウッドなどを含むウッド系のゴルフクラブである。
ここで、ゴルフクラブの全長とは、規定のライ角θに合せ、フェース中央軸を基準としたフェース角を０°に固定した状態で、地面９にゴルフクラブヘッド４の底面を載置した基準状態において、グリップの実質的な把持部分の端となるグリップエンド８（キャップの丸みを含まない）から、ゴルフクラブシャフトの中心軸の延長線が地面９と交わる交点までのゴルフクラブシャフトの中心軸に沿った距離である。すなわち、図１に示すゴルフクラブ長さLをいう。
このゴルフクラブの全長は、図３に示すロフト角度測定器で測定されるヘッド部分の長さと、ＪＩＳ１級の金属定規で測定されるその他の部分の長さとを足しあわすことにより測定できる。
【００２０】
ライ角θはゴルフクラブシャフトと地面とで作られるヒール側の角度をいう。
ロフト角は、ゴルフクラブシャフトの中心軸とフェース面との成す角度であり、図３に示すようなロフト角度測定器により測定される。図３は、ゴルフクラブをロフト角測定器３０に取り付けた例を示し、図４は、図３中のゴルフクラブヘッド４の周辺を拡大して示している。
ロフト角の測定は、ゴルフクラブをロフト角測定器３０に取り付けた状態において、ゴルフクラブが基準面３２に対してライ角通りに設置するようにライ角調整部３３において取り付け角が調整され、次いで、ロフト角測定器３０に取り付けられたゴルフクラブは、ソール部３４が基準面３２に接するように、かつ、フェース角調整具３６の先端部３６ａにフェース面６が密着するように、すなわち、フェース角が０°になるように、ゴルフクラブがチャック部３８で固定される。
ここで、ライ角通りに設置とは、スコアライン３５がフェース角調整具３６の先端部３６ａと平行になるように設置することをいう。また、スコアラインが直線でない等、スコアラインによる判別が困難な場合、ソール部３４が、図５のように、ソール部３４のトウ側（Ｔ）とヒール側（Ｈ）の間で凸状に丸くなっている場合、基準面３２とソール部３４の間に生じる隙間がトウ側とヒール側で略等しくなるように設置することをいう。
【００２１】
その後、図６に示すように、ゴルフクラブヘッド４のフェース面６の基準面３２に垂直に立てた分度器４０を用いてロフト角が測定される。フェース面６が平面の場合、上記測定によってロフト角が得られるが、フェース面６が凸状に丸くなっている場合、図７に示すように、フェース面６の中点Ｍに分度器４０の測定面が接するように当てて測定される。
ロフト角の測定は、上述のように、ゴルフクラブによって測定する他、ゴルフクラブヘッド単体にシャフトピンを差し込んで測定することも可能である。ゴルフクラブヘッド単体で測定して得られるロフト角の数値は、上述のゴルフクラブによって測定して得られるロフト角と実質的に同じである。
【００２２】
このような測定器は、市販されている公知のものであればよく、例えば、高爾夫球頭測度台（昇峰企業社製）、ゴルフクラブアングル測定器（ゴルフギャレーヂ社製）およびゴルフクラブゲージ（Ｇｏｌｆｓｍｉｔｈ社製）等が例示される。
【００２３】
本実施形態では、ゴルフクラブは、質量が２７０ｇ以下と軽量であり、ゴルフクラブ長さが４２インチ以上４６インチ以下であることがスウィング時のゴルフクラブの振り回し易さの点から好ましい。
【００２４】
また、ゴルフクラブシャフトの形状は、上記に制限されず、グリップの肉厚を薄くして軽量化を図り、ゴルフクラブの重心位置を従来のゴルフクラブよりゴルフクラブヘッド側にすることができればよい。
【００２５】
また、ゴルフクラブの振動数は、２１０ｃｐｍ〜２６０ｃｐｍであることが好ましい。本発明における振動数は、ゴルフクラブのグリップ側端部を固定した状態で測定されるものであり、振動数測定器としては、例えば、藤倉ゴム工業株式会社製のクラブタイミングハーモナイザー等が挙げられる。なお、基本的な操作手順は、社団法人日本ゴルフ用品協会が定めるゴルフ曲げ振動計の操作手順に準拠すればよい。また、グリップ側の固定長さは、１７８ｍｍに設定すればよい。
【００２６】
また、グリップは、肉厚を薄くして質量を３０ｇ以下にすることが好ましく、従来のゴルフクラブと比較して重心位置をゴルフクラブヘッド側にして、回転モーメントを本発明の範囲（２０，５００〜２１，５００ｇ・ｃｍ）内に効果的に設定することができる。
【００２７】
したがって、ゴルフクラブの軽量化によるスウィング時の振り難さを、回転モーメントを所定の範囲に設定してゴルフクラブヘッドの重さをゴルファに感じさせることで解消し、ゴルフクラブの軽量化によるヘッドスピードの増大によるゴルフボールの飛距離の向上と、回転モーメントを所定の範囲に設定することでゴルフボールの飛び方向の安定を同時に達成することができる。
【００２８】
図８は本発明における回転モーメントを説明するための図である。回転モーメントは、ある基準点から力が加えられる点へのベクトルとその力のベクトルとの交差積で表される。また、実際ゴルファがグリップを両手で握る場合における、利き手つまりゴルフクラブヘッド側の手の位置は、グリップエンドから略１７．０ｃｍである。そのため、本実施形態ではグリップエンドから１７．０ｃｍを基準点とする。
回転モーメントは、グリップエンドから１７．０ｃｍの位置（基準点）を支点とし、この支点からゴルフクラブの重心位置までの距離と、ゴルフクラブの全質量ｍとを乗算した値として、下記式（２）により定義される。
Ｍ（ｇ・ｃｍ）  ＝  （Ｌｂ−１７．０）  ×  ｍ      ・・・（２）
ここで、Ｌｂ（ｃｍ）はバランスポイントであり、グリップエンドからゴルフクラブの重心位置までの距離を示す。つまり、Ｌｂは、ゴルフクラブシャフト、ゴルフクラブ、およびグリップによって種々変化する値である。
回転モーメントは、ゴルフクラブを基準点のところを利き手で握ったときに、手首などに感じる重さに相当する。本実施形態では、回転モーメントは、スウィングの際にゴルフクラブを握ったときの利き手の位置（グリップエンドから１７．０ｃｍ）を基準点にして測定しているため、スウィング時にゴルファが感じるゴルフクラブの重さをより適切に表している。
【実施例１】
【００２９】
回転モーメントとゴルフクラブ質量などの特性が異なるゴルフクラブ（ドライバー）を用いて、実際にゴルフボールを試打して、ヘッドスピード、飛距離、方向性、およびゴルファの感じるフィーリングを調べた。
実施例および比較例のゴルフクラブヘッドには、すべて横浜ゴム（株）製のＴＲＸ−ＤＵＯヘッドを使用した。
【００３０】
【表１】
2005198816.tif 000003
【００３１】
【表２】
2005198816.tif 000004
【００３２】
【表３】
2005198816.tif 000005
【００３３】
表１から３には、ゴルフクラブの特性を示す項目として、クラブ長さ（ゴルフクラブの長さ）、クラブ質量(ゴルフクラブの質量）、回転モーメント、グリップ質量、シャフト質量（ゴルフクラブシャフトの質量）、振動数、およびチップ端から２００ｍｍから５００ｍｍの平均勾配、グリップ端から２００ｍｍまでの平均勾配、平均勾配の差があり、測定した結果を示す項目として、ヘッドスピード、飛距離、方向性、フィーリング（ゴルファが感じるフィーリング）、および合計点（飛距離、方向性、フィーリングの合計値）がある。
ヘッドスピードはゴルファがスウィング中のゴルフクラブヘッドの打撃直前の速度を、飛距離はゴルファが打球したゴルフボールのキャリー及びランを含むトータルの距離を表し、方向性は打球したゴルフボールが目標位置に対して横方向に１０ヤードの範囲に飛んだ場合を基準（１００）にして、その範囲に含まれるゴルフボールの割合を指数として表し、フィーリングはゴルファがスウィング時や打感から感じる感覚（主に、ゴルフクラブヘッドの効き具合やスウィングのしやすさ）を表す。
なお、ヘッドスピード、飛距離、フィーリングは、実験例１を基準（１００）として表す。
【００３４】
表１から３より実験例２〜１４は、ゴルフクラブ質量およびモーメントが本発明の請求項１の範囲（ゴルフクラブ質量２７０ｇ以下、回転モーメント２０，５００〜２１，５００ｇ・ｃｍ）を満たし、実験例１５〜２７と比較して合計点が高い（３２４以上）ことが分かる。
ヘッドスピードと飛距離に関しては、クラブ長さは長いほうがよく、クラブ質量は軽い方がよく、１７０ｍｍ位置を支点としたモーメントは小さい方がよく、振動数は小さいほうがよいことが分かる。
また、方向性に関しては、クラブ長さは短いほうがよく、１７０ｍｍ位置を支点としたモーメントは大きいほうがよく、振動数は大きいほうがよいことが分かる。
さらに、フィーリングに関しては、クラブ長さは適度な長さ、すなわち一般的に４５インチ以下のものがよく、クラブ質量は適度な質量、すなわち２４０〜２７０ｇのものがよく、１７０ｍｍ位置を支点としたモーメントは２０５００〜２１５００ｇ・ｃｍのものがよく、振動数は適度なもの２１０〜２６０ｃｐｍのものがよいことが分かる。
特に好ましいゴルフクラブの物性としては、実験例３、４、５、及び１０が挙げられる。したがって、クラブ質量は２５０〜２７０ｇの範囲であり、１７０ｍｍ位置を支点としたモーメントは２０５００〜２０８５０ｇ・ｃｍの範囲であるゴルフクラブが特に好ましい。
【００３５】
ゴルフクラブは、ゴルフクラブの軽量化によってスウィング時のヘッドスピードを増大させ、かつ回転モーメントが所定範囲に設定されているので、ゴルファはゴルフクラブヘッドの効きを感じることができ、ヘッドスピードの増大によるゴルフボールの飛距離の向上と、ゴルフボールの飛び方向の安定を同時に達成することができる。
以上、本発明に係るゴルフクラブについて詳細に説明したが、本発明は、以上の実施形態に限定されるものではなく、本発明の要旨を逸脱しない範囲において、各種の改良や変更を行ってもよい。
【図面の簡単な説明】
【００３６】
【図１】本発明のゴルフクラブの一例を示す模式図である。
【図２】本発明のゴルフクラブに用いるゴルフクラブシャフトの一例を示す断面図である。
【図３】ゴルフクラブヘッドのロフト角を測定する測定器の概略斜視図である。
【図４】図３に示す測定器の要部を説明する説明図である。
【図５】図３に示す測定器でロフト角を測定する方法を説明する説明図である。
【図６】図３に示す測定器でロフト角を測定する方法を説明する他の説明図である。
【図７】図３に示す測定器でロフト角を測定する方法を説明する他の説明図である。
【図８】本発明で定める回転モーメントを説明するための図である。
【図９】種々のゴルフクラブにおける回転モーメントとゴルフクラブ質量との関係の一例を示す散布図である。
【符号の説明】
【００３７】
１  ゴルフクラブ
２  ゴルフクラブシャフト
３  グリップ
４  ゴルフクラブヘッド
５  ホーゼル
６  フェース面
８  グリップエンド
９  地面
【図１】
2005198816.tif 000006
【図２】
2005198816.tif 000007
【図３】
2005198816.tif 000008
【図４】
2005198816.tif 000009
【図５】
2005198816.tif 000010
【図６】
2005198816.tif 000011
【図７】
2005198816.tif 000012
【図８】
2005198816.tif 000013
【図９】
2005198816.tif 000014